(57)【要約】【課題】多数の圧縮オーディオデータを記録した記録媒体の中から、特定の情報の項目について、少数の曲しか収録されていない曲を容易に選択して、連続して聴くことができる「オーディオ装置」とする。【解決手段】例えばＭＰ３等の圧縮オーディオデータを記録する圧縮オーディオデータ記録部１のデータを読み込み、システムデコーダ３でＩＤ３等のタグ情報を取り込んで収録曲情報登録部７にこれらのデータを登録しておく。再生曲リスト作成部８における少数曲記録自動リスト作成部９では、アーティスト等の特定の情報の項目について検索を行い、例えば１曲のみしか収録されていないアーティストの曲のみを検索して再生リストを作成する。それにより、従来はこのような曲は多数の手間をかけて１曲ずつしか再生することができなかったものが、自動的にこれらの曲のみ連続して聴くことができるようになる。【選択図】図１
2008140481.tif 000002
【特許請求の範囲】
【請求項１】
圧縮オーディオデータを記録する圧縮オーディオデータ記録部と、
前記圧縮オーディオデータ記録部に記録されている曲に関する情報を取り込み、特定の情報の項目について検索を行い、リストを作成する再生曲リスト作成部とを備え、
前記再生曲リスト作成部では、特定の情報項目について所定数以下の曲のみを検索してリストを作成することを特徴とするオーディオ装置。
【請求項２】
前記再生曲リスト作成部では、前記圧縮オーディオデータ記録部に記録されている曲に関する情報を取り込み登録する収録曲情報登録部のデータを用いて再生曲リストを作成することを特徴とする請求項１記載のオーディオ装置。
【請求項３】
前記特定の情報の項目はアーティストであり、前記再生曲リスト作成部は１人のアーティストで所定数以下の曲しかない曲についての再生曲リストを作成することを特徴とする請求項１記載のオーディオ装置。
【請求項４】
前記特定の情報の項目は曲の作成年であることを特徴とする請求項１記載のオーディオ装置。
【請求項５】
前記オーディオ装置を車両に搭載したことを特徴とする請求項１記載のオーディオ装置。
【発明の詳細な説明】
【技術分野】
【０００１】
本発明は圧縮音声再生装置において、アルバム単位再生時等においてアルバム中に少数の曲しか無い時でも、そのような曲を集めて容易に聴くことができるようにしたオーディオ装置に関する。
【背景技術】
【０００２】
現在広く用いられている各種のオーディオ装置においては、近年は例えばＣＤ−Ｒ、ＤＶＤ−Ｒ、フラッシュメモリ、ハードディスク等のデータ記録媒体を用い、データを圧縮して大容量のオーディオデータを記録してこれを再生し利用することが行われている。このような大容量のオーディオデータの中から所望の曲を選択して聴くには、オーディオデータ中に記録されているタグ情報を利用し、これを検索してアーティスト名、楽曲名、アルバム名等をＡＢＣ順や五十音順に一覧表示して、その中から希望のものを選択して聴くことが行われる。
【０００３】
このような大量のオーディオデータからタグ情報等を利用して所望の楽曲を選択する手法は、ＭＰ３形式等で記録したオーディオデータから所望の楽曲を選択する際にも行われ、特に近年急速に普及している携帯音楽端末でも広く採用されているが、それ以外でも一般家庭用オーディオ装置や車両用オーディオ装置でも、フラッシュメモリやハードディスクに記録した楽曲の再生や、ＤＶＤオーディオの再生に際しても採用され、更にはパソコンでオーディオデータのデータ管理を行う際にも採用されている。
【０００４】
特に携帯音楽端末の利用に際しては、これを車両に持ち込んで車内で聴くことも行われるが、その際にはオーディオ性能に優れている車両用オーディオ装置に有線或いは無線で接続して、携帯音楽端末からオーディオデータを車両用オーディオ装置に送信可能とし、車両用オーディオ装置で携帯音楽端末の楽曲を再生することが行われる。その際には、車両用オーディオ装置から携帯音楽端末に対して再生操作を初めとする各種操作の信号を出力し、車両用オーディオ装置によって携帯音楽端末に記録されている楽曲を前記と同様に検索し、適宜プレイリストを作成して、その結果を車両用オーディオ装置の画面に表示し、その中から所望のものを選択して聴くことができるようにもなっている。
【０００５】
なお、簡単な操作でユーザーの好みに応じたプレイリストとなるようにプログラムの自動検索・選択を行い、記録媒体への書込みを行うことができるようにするため、記録再生手段に再生された補助情報を用いて、同一カテゴリーの検索手段で検索し、プログラムの再生順を制御するプレイリストを作成することは特許文献１に開示されている。
【特許文献１】特開２００２−３１３０７０号公報
【発明の開示】
【発明が解決しようとする課題】
【０００６】
上記のような大量の圧縮オーディオデータを再生するオーディオ装置において、種々の態様でユーザーにとって所望の曲を選択して聴くことが行われるが、曲の選択に際しては例えばＭＰ３においては各曲に付与されているＩＤ３タグ情報が用いられる。ＭＰ３のＩＤ３タグ情報は例えば図６（ａ）に示すように、曲名、アーティスト名、アルバム名、作成年月、ジャンル番号、コメント等が記録され、これを表示することができるようになっている。したがって、例えば図６（ｂ）のような、各アーティストに対する収録曲が存在するとき、ＩＤ３タグデータを用いることにより特定のアーティストを検索して収録されている曲を表示し、その曲のみを順に再生することができる。
【０００７】
その際には、例えば図７（ａ）に示すようにパソコンを用いて再生する曲の選択を行う際にこれらの曲情報を表示し、特定の曲を選択してプレイリストを作成して聴くことも行われる。このようなプレイリストを作成して順に曲を再生すると、各ユーザーの好みに合った曲のみを聴くことができるものの、プレイリストを手動で作成することは多くの手間がかかる。
【０００８】
そのためより簡易な手法としては、例えば図７（ｂ）のようなアーティストのリストを表示させた状態で特定のアーティストを選択し、その選択によりこのアーティストのアルバム名のリストを表示させ、特定のアルバムを選択したときそのアルバムに収録されている曲名を表示させ、これを確認して所望のものではないときには元のアルバム名のリストに戻り、所望のものであるときにはこれを選択してこれらの曲を順に再生する選曲方法が多く用いられている。
【０００９】
この手法によってアルバム単位で再生を行うときには、例えばこのアルバムに１５曲程度収録されている際にはほぼ５０分程度連続して再生することが可能である。しかしながら、例えば１つのアルバムに本来は１５曲収録されていたＣＤについて、この中の１曲のみ等の少数の曲のみを別のメモリやＨＤＤに記録したとき、或いはシングルＣＤのように１曲或いは２曲程度しか収録されていないときには、前記のようなアルバム単位で再生する際には１曲で４分程度、２曲でも８分程度で再生が終了してしまい、次のアルバムの選択をする作業を行わざるを得なくなる。
【００１０】
その際には例えば図８のような操作を行うこととなる。即ち、最初は同図（ａ）に示すようにアーティスト名のリストを表示し、この中から例えば「ｈｈｈ」のアーティストを選択したときアルバム名のリストを表示し、そこには「ｍｍｍｍ」のアルバムしか存在せず、これを選択するとそこには「ｘｘｘｘ」の１曲しかないとき、ユーザーがこれを聴きたいと思ったときにはこれを選択して聴くこととなる。その後この曲の再生が終了して、ユーザーが更に他の曲を聴きたいと思ったときには、通常の操作においては同図（ｂ）に示すように、再生終了時の曲名リスト表示画面から戻る操作を行い、アルバム名にリスト表示を行い、更に戻る操作を行って曲選択の初期表示であるアーティスト名のリスト表示を行うことになる。
【００１１】
ここから前記操作と同様に更に他のアルバムの再生を行うこととなるが、このとき例えば図７（ｃ）に示すようにアーティストとして「ｉｉｉ」を選択し、そのアーティストのアルバム名が表示されたとき「ｓｓｓｓ」のアルバムしか存在しないためこれを選択し、このアルバムの収録曲が「ｐｐｐｐ」のみである場合において、ユーザーがこれを聴きたいと思ったときにはこのアルバムの再生指示を行うこととなる。この場合においても前記と同様に４分程度でこの曲の再生が終了すると、同図（ｂ）の様な操作を行って再度他の曲の選択を行わなければならない。
【００１２】
このように１人のアーティストについて１曲しか収録曲がないときには短時間でその曲の再生が終了し、前記のような次の曲の選択操作を行わなければならず面倒である。このことは１つのアーティストに２曲しかないときにもほぼ同様の問題を生じ、ユーザーがこれらの操作が面倒である、と感じるか否かの曲数は、各ユーザーの個性によって異なる場合が多い。また、上記のように１人のアーティストに１曲等の少数の曲しか収録していないときは、多くの場合ユーザーが特にその曲を聴きたいと思って購入したシングルＣＤや、多くの曲が収録されているアルバムＣＤの中から気に入った曲を選択してメモリやＣＤ−Ｒ、ＨＤＤ等記録した場合が多い。
【００１３】
上記のように、１人のアーティストに１曲、或いは少数の曲しか存在しないアルバムは重要な曲である場合が多いにもかかわらず、前記のような従来の選曲手法では多くの手数がかかり、ユーザーにとって面倒であり、自然と多数の曲が収録されているアルバムを選択して聴くことが多くなる。特に車両に搭載したオーディオ装置において、運転者が聴きたい曲を選択するときには、運転中にこのような１曲のみが収録されたアルバムを選択して聴く操作を行うことは危険であり、好ましくない。そのため必然的に多数の曲が収録されているアルバムを選択して聴くこととなり、１曲のみ或いは少数の曲しか収録されていないアルバムを聴く機会が殆ど無くなってしまい、何らかの改善策が要求されている。
【００１４】
このことは１人のアーティストについて１曲等の少数の曲しか存在しない場合のほか、例えば車両用オーディオ装置のデータ記録媒体に、特定のアーティストについて多数のアルバムが存在し、運転中に再生曲選択の操作を頻繁に行わなくて済むように、それらのアルバム中で多数の曲が収録されているアルバムを選択し、それらの曲を連続して自動再生する聴き方を行っているユーザーにとっては、多数の曲を収録したアルバムの中には収録されていないシングルＣＤのような曲について、これを選択して聴くことが殆ど無くなってしまう、という問題も生じる。そのため、このような曲を集めて聴きたい場合も前記と同様に生じる。
【００１５】
したがって本発明は多数の圧縮オーディオデータを記録した記録媒体の中から、１人のアーティストや１つのアルバムについて、１曲のみ等の少数の曲しか収録されていないアーティストやアルバムを容易に選択して連続して聴くことができるオーディオ装置を提供することを主たる目的とする。
【課題を解決するための手段】
【００１６】
本発明に係るオーディオ装置は、前記課題を解決するため、圧縮オーディオデータを記録する圧縮オーディオデータ記録部と、前記圧縮オーディオデータ記録部に記録されている曲に関する情報を取り込み、特定の情報の項目について検索を行い、リストを作成する再生曲リスト作成部とを備え、前記再生曲リスト作成部では、特定の情報項目について所定数以下の曲のみを検索してリストを作成することを特徴とする。
【００１７】
本発明に係る他のオーディオ装置は、前記オーディオ装置において、前記再生曲リスト作成部では、前記圧縮オーディオデータ記録部に記録されている曲に関する情報を取り込み登録する収録曲情報登録部のデータを用いて再生曲リストを作成することを特徴とする。
【００１８】
本発明に係る他のオーディオ装置は、前記オーディオ装置において、前記特定の情報の項目がアーティストであり、前記再生曲リスト作成部は１人のアーティストで所定数以下の曲しかない曲についての再生曲リストを作成することを特徴とする。
【００１９】
本発明に係る他のオーディオ装置は、前記オーディオ装置において、前記特定の情報の項目が曲の作成年であることを特徴とする。
【００２０】
本発明に係る他のオーディオ装置は、前記オーディオ装置を車両に搭載したことを特徴とする。
【発明の効果】
【００２１】
本発明は上記のように構成したので、多数の圧縮オーディオデータを記録した記録媒体の中から、１人のアーティストや１つのアルバム、更には各種の特定の情報の項目について、１曲のみ等の少数の曲しか収録されていない曲を容易に選択して、連続して聴くことができるようになる。
【発明を実施するための最良の形態】
【００２２】
本発明は、多数の圧縮オーディオデータを記録した記録媒体の中から、特定の情報の項目について、少数の曲しか収録されていない曲を容易に選択して、連続して聴くことができるようにするという課題を、圧縮オーディオデータを記録する圧縮オーディオデータ記録部と、前記圧縮オーディオデータ記録部に記録されている曲に関する情報を取り込み、特定の情報の項目について検索を行い、リストを作成する再生曲リスト作成部とを備え、前記再生曲リスト作成部では、特定の情報項目について所定数以下の曲のみを検索してリストを作成することにより実現した。
【実施例１】
【００２３】
本発明の実施例を図面に沿って説明する。図１は本発明を実施するオーディオ装置の機能ブロック図であり、主として本発明を実施するために必要な部分を示したものである。図示実施例ではＭＰ３等の圧縮オーディオデータ記録媒体としての圧縮オーディオ記録部１に多数のオーディオデータを記録する例を示しており、この記録媒体としては従来より広く用いられているフラッシュメモリ、ＣＤ−Ｒ、ＤＶＤ−Ｒ、ＨＤＤ等が用いられ、一般家庭用や車両用オーディオ装置やディスクトップ型パソコンのオーディオ機能によるオーディオ装置のほか、前記のような記録媒体を備えた携帯型オーディオ装置が用いられる。その際には、例えば携帯型オーディオ装置を車内に持ち込んで、車両用オーディオ装置と有線、或いは無線により接続し、車両用オーディオ装置でそれらの携帯型オーディオ装置に記録されたオーディオを聴く場合も含んでいる。
【００２４】
図１におけるＭＰ３等の圧縮オーディオ記録部１には、例えばＭＰ３の場合にはオーディオデータのほか、前記図６に示すように、そのオーディオデータについての情報としてのＩＤ３タグ情報を含んでおり、ＭＰ３以外の圧縮オーディオデータにおいても同様のタグ情報を備えている。データ読込部２においてはこれらの圧縮オーディオデータを取り込み、ＭＰ３等のシステムデコーダ３に出力し、システムデコーダ３では各曲に含まれている前記ＩＤ３タグ等のタグデータ４と、オーディオデータ５とを分離し、オーディオデータについてはオーディオ信号としてオーディオ出力１４を行う
【００２５】
システムデコーダ３で分離したＩＤ３等のタグデータ４は、ＩＤ３等のタグデータ取込部６でこれを取り込み、オーディオデータ収録曲情報登録部７に記憶することができるようにしている。このオーディオデータ収録曲登録部７には、後述する再生曲リスト作成部８で各種の態様により再生曲リストを迅速に作成することができるように、このオーディオ装置の立ち上げ時、或いは例えば携帯型オーディオ装置を車載オーディオ装置と接続したとき、圧縮オーディオデータ記録部１に記録しているオーディオデータについてタグデータのみを取り込んで登録しておくようにした例を示している。
【００２６】
図１の再生曲リスト作成部８では、ユーザーの指示を入力する指示入力部１２からの指示により、種々の態様で再生曲リストを作成し、所望の曲の再生を行うことができるようにした例を示しており、特に本発明を実施するために必要な少数曲記録自動リスト作成部９を備えている。この少数曲記録自動リスト作成部９では、オーディオデータ収録曲情報登録部７のデータを検索し、前記図８の例における曲名「ｘｘｘｘ」「ｐｐｐｐ」のような、１人のアーティストまたは１つのアルバムに１つしか曲がないもの、或いはユーザーの指定により１人のアーティストまたは１つのアルバムに２曲以下しか収録されていない曲等の、１人のアーティストまたは１つのアルバムに所定数以下の少数の曲しか収録されていない曲のみを選択してリストを作成する。
【００２７】
図示の再生曲リスト作成部８ではそのほか、ユーザー入力プレイリスト作成部１０を備え、前記図７（ａ）のようなプレイリストをユーザーが手動で曲を選択して作成する。また、各種項目別選曲リスト作成部１１では、図６（ａ）のようなタグデータの項目のいずれかを選択し、例えばアーティストを選択したとき収録されている曲のアーティストのリストを出力し、或いはジャンルを選択したときにはジャンル毎のリストを出力する等の、各種項目に対応した選曲リストを作成する。このような選曲リストにより、前記図８に示すような従来の選曲手法も可能となる。
【００２８】
上記のような再生曲リスト作成部８で作成したリストは表示部１５で表示可能とし、ユーザーはこれを見ながらオーディオ装置に対して指示を行い、その指示を指示入力部１２で入力して、前記のような再生曲リスト作成部に対する指示として、更には作成されたリストにより実際に再生する曲を選択する再生曲選択部１３に対する指示を可能とする。したがってデータ読込部２は再生曲選択部１３によるユーザーの直接の指示により曲の再生を行い、また再生曲リスト作成部８の指示によりリスト作成用のデータ取り込み、作成したリストによって自動的に曲を選択して再生をするためのデータの取り込みを行うこととなる。
【００２９】
上記のような機能ブロックからなるオーディオ装置は、例えば１曲のみ収録されているアーティストの曲を再生する例を示す図２にの作動フローにより順に作動させることができる。図２に示す例においては最初図１の圧縮オーディオデータ記録部１に記録されている全曲について、ＩＤ３タグ情報を検索し（ステップＳ１）、その検索結果により全収録曲についての曲情報リストの作成を行う（ステップＳ２）。図１の例においては、これをオーディオデータ収録曲情報登録部７に登録することにより行っている。図２の例においては、次いで１曲のみ収録されているアーティストの選択指示が入力されたか否かを判別し（ステップＳ３）、ここでそのような指示がないと判別したときにはステップＳ９に進み、例えば特定アルバムをユーザーが選択する等の他の再生処理を行う。
【００３０】
ステップＳ３においてユーザーが１曲のみ収録されているアーティストの選択指示を行ったと判別したときには、１曲のみ収録アーティストの検索処理を行い（ステップＳ４）、検索結果のリストを作成する（ステップＳ５）。次いで上記のようにして作成したリストの表示処理を行い（ステップＳ６）、その後ユーザーがこのリストを見て所望の再生曲のリストであるかを確認することとなる。
【００３１】
次いでユーザーによる再生指示入力があったか否かを検出し（ステップＳ７）、ユーザーがこの再生曲リストによる曲の再生を希望しないことにより再生指示入力を行わないときには、ユーザーの手動により、或いは所定時間以内に再生指示入力が行われないときには自動的に、他の再生処理のための画面を出力する等により、他の再生処理を行う（ステップＳ９）。ステップＳ７で再生指示の入力がなされたと判別したときには、再生を開始する（ステップＳ８）。
【００３２】
上記のような処理を行う結果、図４（ａ）のような曲の登録状況において、アーティスト「ｂｂｂ」及び「ｄｄｄ」が１曲しか登録されていないことにより、これらが検索されて同図（ｂ）に示すような１人のアーティストで１曲のみ登録されているプレイリストが作成される。ユーザーはこれを見て再生を希望するときには別途再生開始指示を行う等により、従来行うことができなかったこれらの連続再生が自動的に行われるようになる。
【００３３】
前記の例においては１人のアーティストについて１曲のみ登録されているプレイリストの作成例を示したが、１人のアーティストに２曲以下しか登録されていないアーティストについてのプレイリストも、最大曲数の指示等により同様にして作成することができ、その際には図４（ｃ）のようにアーティスト「ｅｅｅ」も含まれるプレイリストが作成されることとなる。
【００３４】
このような手法は１人のアーティストについて少数の曲しか収録されていないものを選択する以外に、１つのアルバムに１つの曲、或いは２つの曲等の少数の曲しか収録されていないときにおいて、これらの曲をまとめて連続して聴くためのプレイリストの作成時にも同様にして行うことができる。その際には、同一のアーティストについて、他のアルバムに多数の曲と共に収録されている曲を除いた曲のみを選択してプレイリストを作成することも当然可能となる。
【００３５】
上記のようなプレイリストの作成処理は、その他図７（ａ）に示したようなＭＰ３のＩＤ３タグにおける各項目を１つのグループとして、同様の処理を行って各種の１グループ内に少数の曲しか収録されていない曲のプレイリストの作成も行うことができる。その際には例えば図３に示す作動フローのように行う。図３には前記のような１つのグループ内に少数の曲のみが収録されているときの、それらの曲の再生リストの作成処理を行うものであり、最初は前記図２と同様に全収録曲についてＩＤ３タグの検索を行い（ステップＳ１１）、記録媒体内の全収録曲の情報リストを作成する（ステップＳ１２）。次いでグループ内少数曲収録の再生リスト作成指示が入力されたか否かを判別し（ステップＳ１３）、その指示が入力されないときには他の再生リストの作成処理がなされる（ステップＳ２２）。
【００３６】
ステップＳ１３で前記指示が入力されたと判別したとき、即ちユーザーがその指示を行った後は選曲グループの指示を行う（ステップＳ１４）。このときのグループとしては、前記のように図６（ａ）の各項目としてのグループを選択する。これらの選択に際しては、画面にこれらのグループ選択用リストを表示し、その中のいずれかを選択することにより指示入力を行わせることができる。ここで例えば「作成年月」が指示されたときには、続いて１グループ内にどの程度の曲以下のもの、即ち最大曲数の指示入力を行う（ステップＳ１５）。この選択に際しても、画面にいくつかの最大曲数を表示し、その中の所望の数字を選択することにより指示を行うようにすることができる。ここでユーザーが最大曲数を例えば「２曲」に設定したとき、この検索条件により該当する曲の検索処理を行う（ステップＳ１６）。
【００３７】
その検索結果によりプレイリストを作成し（ステップＳ１７）、そのプレイリストを画面に表示する（ステップＳ１８）。ユーザーが表示されたプレイリストを見て、これらの曲の再生を希望するとしての確定入力等を行ったか否かを判別し（ステップＳ１９）、この再生を希望する旨の入力を行ったときには、この再生リストは確定する（ステップＳ２０）。それに対して、ユーザーがこのリストの曲の再生を希望しない旨の入力を行ったときには、他のグループを選択するか否かを判別する。この判別に際しては、他のグループの選択要否入力画面に対するユーザーの指示等によって判別することができる。
【００３８】
ここで例えば「ジャンル」等のグループについての少数曲選択を行いたいと思ったときには、他のグループを選択する旨の指示を行うためステップＳ１４に戻って、前記と同様に「ジャンル」等の選曲グループ指示を行い、以降同様の作動を繰り返す。前記ステップＳ２１においてグループ内少数曲収録再生リストの作成処理を行わない旨の指示を行ったときには、他の再生リストの作成処理を行うこととなる（ステップＳ２２）。
【００３９】
上記のような処理を行う結果、種々の態様で少数曲の選択によるプレイリストの作成とそれに基づく連続再生が可能となる。図５には前記のような曲の作成年月日に基づいてプレイリストを作成した例を示しており、（ａ）のような曲登録情報に基づいて、（ｂ）のように「ｘｘｘｘ年ｙｙ月ｚｚ日」に作成された曲のみのプレイリスト、及び同図（ｃ）のように、「ｕｕｕｕ年ｖｖ月ｗｗ日」に作成された曲のみのプレイリスト等も作成することができる。
【図面の簡単な説明】
【００４０】
【図１】本発明の実施例の機能ブロック図である。
【図２】同実施例の作動フロー図である。
【図３】本発明を各種の態様で実施するときの作動フロー図である。
【図４】本発明により作成されるプレイリストの例を示す図である。
【図５】本発明により作成される他のプレイリストの例を示す図である。
【図６】ＭＰ３のＩＤ３タグ情報の項目、及び圧縮オーディオデータに記録されている情報に基づく曲登録情報の例を示す図である。
【図７】従来の各種のプレイリスト作成例を示す図である。
【図８】１人のアーティストについて１曲しか記録されていないときの、それらの曲の選択再生を行う従来例を示す図である。
【符号の説明】
【００４１】
１  圧縮オーディデータ記録部  
２  データ読込部
３  システムデコーダ
４  タグデータ
５  オーディオデータ
６  タグデータ取込部
７  オーディオデータ収録曲情報登録部
８  再生曲リスト作成部
９  少数曲記録自動リスト作成部
１０  ユーザ入力プレイリスト作成部
１１  各種項目別選曲リスト作成部
１２  指示入力部
１３  再生曲選択部
１４  オーディオ出力
１５  表示部
【図１】
2008140481.tif 000003
【図２】
2008140481.tif 000004
【図３】
2008140481.tif 000005
【図４】
2008140481.tif 000006
【図５】
2008140481.tif 000007
【図６】
2008140481.tif 000008
【図７】
2008140481.tif 000009
【図８】
2008140481.tif 000010